(57)【要約】【課題】従来の電子連動装置によって、例えば大規模な駅の建設やあるいは既設大規模駅の構内鉄道機器の新設または信号機の改良工事が行われた後、それらの機器の正常運転を確認するため、機器の連動検査を実行しようとする場合、通常の時素データを用いて検査を行うと、短いもので約１週間、長いものでは約６ヶ月もの時間を要するという課題を解決するために、連動検査時でも連動データを入れ替えることなく短いデータに変更して、連動検査時間を短縮可能な電子連動システムを提供する。【解決手段】通常時には通常動作用時素テーブルの時素データで、連動検査時には通常動作用時素テーブルに比較して短い連動検査用時素テーブルの時素データによって検査を行う。【選択図】        図１
2004359018.tif 000002
【特許請求の範囲】
【請求項１】
駅構内鉄道機器の制御をするための連動処理を行う電子連動システムであって、
前記連動処理が、前記電子連動システムに設けられた連動処理部によって通常時には通常動作用時素テーブルで、連動検査時には連動検査用時素テーブルによって行われるとともに、前記連動検査用時素テーブルに格納されている時素データが、前記通常動作用時素テーブルの時素データに比較して短いことを特徴とする電子連動システム。
【請求項２】
駅構内鉄道機器の制御をするための連動処理を行う電子連動システムであって、
前記連動システムには、連動処理部と表示制御盤とが備えられており、
前記連動処理部には、動作モード切替手段と動作モード入力手段と、時素テーブル設定手段と連動処理実行手段および時素テーブル先頭アドレス格納エリアと連動データとが設けられており、
前記動作モード切替手段は、通常動作モードあるいは連動検査モードのいずれかの動作モードに切り替え設定するものであり、
前記動作モード入力手段は、前記動作モード切替手段で設定した動作モードを入力するものであり、
前記時素テーブル設定手段は、前記動作モード入力手段で入力した動作モードにより、前記時素テーブル先頭アドレス格納エリアに、前記連動データの中から通常動作用時素テーブルの先頭アドレスか、連動検査用時素テーブルの先頭アドレスのいずれかを設定、格納を行う判断をするものであり、
前記表示制御盤の出力により前記連動処理実行手段が、前記時素テーブル先頭アドレス格納エリアを使用して、通常動作あるいは、連動検査の連動処理を実行するものであり、前記検査用時素データは通常動作用時素データに比較して短いことを特徴とする電子連動システム。
【請求項３】
前記連動処理部は、通常動作用時素テーブルと、連動検査用時素テーブルと、連動処理テーブルとよりなる連動データを有しており、
前記通常動作用時素テーブルは、通常の連動動作モード時に使用されるものであり、
前記連動検査用時素テーブルは、連動検査時の連動検査動作モード時に使用されるものであり、
前記連動処理テーブルは、連動処理内容を記述するものであるとともに、前記通常動作用時素テーブルおよび連動検査用時素テーブルの先頭アドレスからのオフセットが設定された時素データを含んであることを特徴とする請求項２に記載の電子連動システム。
【請求項４】
さらに加えて、前記電子連動システムには保守用端末が備えられているとともに、前記連動処理部には動作モード出力手段が設けられており、前記動作モード出力手段は前記動作モード入力手段から入力した動作モードを、前記保守用端末に出力することを特徴とする請求項２または請求項３のいずれか１項に記載の電子連動システム。
【請求項５】
前記動作モード出力手段は、前記動作モード入力手段から入力した動作モードを、前記保守用端末および前記表示制御盤に出力することを特徴とする請求項４に記載の電子連動システム。
【発明の詳細な説明】
【０００１】
【発明の属する技術分野】
この発明は、駅構内等の信号機、転てつ器やその他の信号設備を制御するために連動処理を行う電子連動システムに関するものであり、特に連動検査を効率的に行うための連動処理方式に関するものである。
【０００２】
【従来の技術】
連動システムは駅構内の鉄道機器全体、あるいは設定した単位を総合的に制御するものである。
従来の電子連動装置において、所定の鉄道機器単位に制御対象の切り替えを行う場合に、連動論理記憶手段（ＲＯＭ）を人手を用いて挿脱する場合の諸問題を解消するために、鉄道機器切替連動論理が複数記憶された連動論理記憶手段と、鉄道機器切替単位に応じた連動論理モードの入力を促すとともに、入力された連動論理モードに対してモード選択論理値を生成し、この論理値と所定論理値に対して補数関係にある補数モード選択論理値を生成する連動論理モード入力手段と、前記モード選択論理値と補数モード選択論理値との間の論理上の補数関係を照査する照査手段と、前記連動論理モードに応じた前記鉄道機器切替連動論理を選択するとともに、機器の切り替えまたは切替停止を促す鉄道機器制御切替手段とを備えたものが示されている（例えば、特許文献１参照）。
【０００３】
【特許文献１】
特開平８−２５８７１５号公報（図１）
【０００４】
【発明が解決しようとする課題】
従来の電子連動装置は以上のような構成である。しかしながら、このような構成の電子連動装置によって、例えば大規模な駅の建設やあるいは既設大規模駅の構内諸鉄道機器の新設または信号機の改良等の工事が行われた後、それら機器の正常運転を確認するため機器の連動検査を実行しようとする場合に、通常の時素（タイマー）のデータで動作させる連動データを使用すると、全制御対象機器の検査に膨大な時間を要するという問題があった。この連動検査時間を短縮するために、時素（タイマー）を短く変更した連動データを準備し、複数の連動データを切り替えて使用すると、連動データそのものを取り違える可能性があるという問題点もあった。
この発明は、上記課題を解決するためになされたものであって、連動検査時でも連動データを入れ替えることなく短い時素データに変更して、連動検査時間を短縮可能な連動システムを提供しようとするものである。
【０００５】
【課題を解決するための手段】
駅構内鉄道機器の制御をするための連動処理を行う電子連動システムであって、連動処理が、前記電子連動システムに設けられた連動処理部によって通常時には通常動作用時素テーブルで、連動検査時には連動検査用時素テーブルによって行われるとともに、連動検査用時素テーブルに格納されている時素データが、通常動作用時素テーブルの時素データに比較して短いものである。
【０００６】
【発明の実施の形態】
実施の形態１．
以下、この発明の実施の形態１を図に基づいて説明する。
図１は電子連動システム１００の全体構成を示す図である。電子連動システム１００は連動処理を実行する連動処理部１と、前記連動処理部１に対して制御命令を出力するとともに応答を表示する表示制御盤２と、連動処理部１からの保守情報を表示する保守用端末装置３から構成されている。なお、前記表示制御盤２は、通常駅ホームの信号扱い所に設置されており、前記連動処理部１と保守用端末３は駅ホームから離れた機器室内に設置されている。
【０００７】
図２は前記連動処理部１で使用するデータ構造を示す図である。図において、使用する時素テーブル（タイマー）の先頭アドレスを格納する時素テーブル先頭アドレス格納エリア１１と連動データ１２とを有しており、前記連動データ１２は、連動処理テーブル１３、時素データ１４、通常動作用時素テーブル１５、連動検査用時素テーブル１６とを備えている。
前記連動処理テーブル１３は連動処理内容を記述する。
時素データ１４は連動処理テーブル１３に設定された時素データの１つであり、通常動作用時素テーブル１５は通常動作モード時に使用する時素データを格納するものであり、連動検査用時素テーブル１６は連動検査時に使用する時素データを格納するものである。
通常動作用時素テーブル１５と、連動検査用時素テーブル１６は同一データ構造であり、時素データ１４として通常動作用時素テーブル１５および連動検査用時素テーブル１６の先頭アドレスからのオフセットが設定されている。
以上のような連動データの構成では、連動データを入れ替えたり切り替えたりする必要なく、連動検査時の時素（タイマー）を変更することができる。
【０００８】
図３はこの発明の実施の形態１による電子連動システム１００の機能ブロック図である。この図３に示す各手段は前記図１の連動処理部１に設けられている。次に各手段の詳細を述べる。
動作モード切替手段２１は、通常動作モードで動作させるか、連動検査モードで動作させるかを設定する動作モードを切り替える機能を有しており、切替スイッチにより構成されている。動作モード入力手段２２は、前記動作モード切替手段２１で設定した動作モードを入力するものである。時素テーブル設定手段２３は、前記動作モード入力手段２２で入力した動作モードにより図２に示した時素テーブル先頭アドレス格納エリア１１に通常動作用時素テーブル１５の先頭アドレスを設定格納するか、連動検査用時素テーブル１６の先頭アドレスを設定格納するかを判断するものである。
表示制御盤２の出力命令により連動処理実行手段２４は、時素テーブル先頭アドレス格納エリア１１を使用して通常動作あるいは連動検査の連動処理を実行するものである。
動作モード出力手段２５は、前記動作モード入力手段２２で入力した動作モードを保守用端末３に出力するものであり、保守用端末３はＬＥＤ等により動作モード状態を表示し、駅ホームから離れた機器室内にいる保守員はこの表示を確認する。
【０００９】
図４のフローチャートにこの実施の形態１の電子連動システム１００の動作を示す。
ＳＴ１は動作モード切替手段２１で動作モードを切り替えた後に、動作モード入力手段２２によって動作モードを入力する。
ＳＴ２は時素テーブル設定手段２３により、前記ＳＴ２で入力した動作モードに従って、時素テーブル先頭アドレス格納エリア１１に通常動作用時素テーブル１５の先頭アドレスを設定するか、否かは連動検査用時素テーブル１６の先頭アドレスを設定するかの判断を行うステップである。
ＳＴ３はＳＴ２で動作モードが通常動作モードと判断した時の処理であり、時素テーブル先頭アドレス格納エリア１１に通常動作用時素テーブル１５の先頭アドレスを設定する。
ＳＴ４はＳＴ２で動作モードが連動検査モードと判断した時の処理であり、時素テーブル先頭アドレス格納エリア１１に連動検査用時素テーブル１６の先頭アドレスを設定する。
【００１０】
ＳＴ５はＳＴ２で入力した動作モードを外部の保守用端末３に出力する。
ＳＴ６は前記図２に示した連動データ１２に従って、一連の連動処理を実行する連動処理のステップである。連動処理で使用する時素データ値は、時素テーブル先頭アドレス格納エリア１１に設定された先頭アドレスと、時素データ１４に設定された先頭アドレスからのオフセットを使用して求められる。
このため、連動検査用時素テーブル１６に格納する時素データを通常動作用時素テーブル１５に格納するそれよりも短くしておけば、ＳＴ６の連動処理で使用される時素データ値が小さくなり時素が短縮されることになり、連動検査時間が短縮できる。
なお、ＳＴ５の動作モード出力処理は、ＳＴ６の連動処理とともに無限ループ内で実行されるため、万一、ノイズや誤動作によって動作モードに変化が生じる場合があっても、その変化を保守用端末３に通知、表示することができる。
【００１１】
実施の形態２．
前記実施の形態１による連動処理部１に設けられた動作モード切替手段２１は、切替スイッチで構成する例を示したが、これに代わり表示制御盤２または保守用端末３からの命令により、動作モードを切り替えられる構成とする。
つまり、駅ホームからの離れた機器室にいる、例えば保守員により、動作モードを切り替えられることができるという効果がある。なおこの場合、動作モード切替手段２１には切替スイッチ等のハードウエアを追加する必要もない。
【００１２】
実施の形態３．
前記実施の形態１による連動処理部１に設けられた動作モード出力手段２５はＬＥＤ等で保守用端末３に表示する例を示したが、表示制御盤２および保守用端末３のＣＲＴ画面等に出力して表示するようにすることにより、保守員と駅ホーム員に対して現在情報を提供できるという効果がある。
【００１３】
【発明の効果】
この発明は以上述べたような構成であるので、以下のような効果がある。すなわち、駅構内鉄道機器の制御をするための連動処理を行う電子連動システムであって、連動処理が、電子連動システムに設けられた連動処理部によって通常時には通常動作用時素テーブルで、連動検査時には連動検査用時素テーブルによって行われるとともに、連動検査用時素テーブルに格納されている時素データが、通常動作用時素テーブルの時素データに比較して短いものであるので、連動検査時には連動データを入れ替えることなく短い時素データに変更して連動検査が行うことができ、その結果連動検査時間が短縮できるとともに、検査用連動データの取り違えの防止を図れるという優れた効果を奏する。
【図面の簡単な説明】
【図１】この発明の実施の形態１による電子連動システムの全体構成を示す図である。
【図２】この発明の実施の形態１による連動処理部でのデータ構造を示す図である。
【図３】この発明の実施の形態１による電子連動システムの機能ブロックを示す図である。
【図４】この発明の実施の形態１による電子連動システムの動作を示すフローチャート図である。
【符号の説明】
１  連動処理部、２  表示制御盤、３  保守用端末、
１１  時素テーブル先頭アドレス格納エリア、１２  連動データ、
１３  連動処理テーブル、１４  時素データ、１５  通常動作用時素テーブル、１６  連動検査用時素テーブル、２１  動作モード切替手段、
２２  動作モード入力手段、２３  時素テーブル設定手段、
２４  連動処理実行手段、２５  動作モード出力手段、
１００  電子連動システム。
【図１】
2004359018.tif 000003
【図２】
2004359018.tif 000004
【図３】
2004359018.tif 000005
【図４】
2004359018.tif 000006